【手続補正書】
【提出日】平成15年11月17日(2003.11.17)
【手続補正１】
【補正対象書類名】明細書
【補正対象項目名】全文
【補正方法】変更
【補正の内容】
【発明の名称】浴室リモコンの設置構造
【特許請求の範囲】
【請求項１】少なくとも浴槽の気泡噴射装置を操作するためのジェット用リモコン本体と、照明を操作するための照明用リモコン本体を横方向に並設するために、各リモコン本体の操作面のみを表面に露出させて嵌め込むための開口が所定間隔で横方向に並設されてなる化粧カバーで、複数のリモコン本体を覆蓋し、浴室壁面に埋め込み状に複数のリモコン本体を設置したことを特徴とする浴室リモコンの設置構造。
【請求項２】前記複数のリモコン本体を収納でき、浴室壁面の壁開口に埋め込まれる埋め込みケースと、前記壁開口の長辺より短く、短辺より長い寸法を有し壁開口を通して壁面の裏側に配設される固定金具を、前記リモコン本体と共にネジで連結し、該ネジを室内側より締め付けて、前記壁面に前記埋め込みケースと固定金具を狭圧固定したことを特徴とする請求項１に記載の浴室リモコンの設置構造。
【請求項３】前記埋め込みケースには、片端に真円のネジ通し基準孔が形成され、該基準孔と一直線状に、リモコン本体の位置調整用の長孔状のネジ通し調整孔が形成されていることを特徴とする請求項２に記載の浴室リモコンの設置構造。
【発明の詳細な説明】
【０００１】
【産業上の利用分野】
この発明は、浴室内の複数のリモコンを一体化させて並設できる浴室リモコンの設置構造に関するものである。
【０００２】
【従来の技術及びその課題】
従来、浴室内には複数の機器が存在し、各機器を操作するために複数のリモコンが存在するが、複数のリモコンを浴室の壁面等に設置すると、煩雑で見苦しく、操作性が悪いという問題点があった。
また従来、関連する複数の機器を操作できる専用のリモコンを用意する場合もあるが、複数の機器の操作機能を一体化したリモコンを専用で作ることは無駄が多いという問題点があった。
【０００３】
【課題を解決するための手段】
本発明は上記従来の問題点に鑑み案出したものであって、複数のリモコンをスッキリと浴室壁面に並設できる浴室リモコンの設置構造を提供せんことを目的とし、その第１の要旨は、少なくとも浴槽の気泡噴射装置を操作するためのジェット用リモコン本体と、照明を操作するための照明用リモコン本体を横方向に並設するために、各リモコン本体の操作面のみを表面に露出させて嵌め込むための開口が所定間隔で横方向に並設されてなる化粧カバーで、複数のリモコン本体を覆蓋し、浴室壁面に埋め込み状に複数のリモコン本体を設置したことである。
また、第２の要旨は、前記複数のリモコン本体を収納でき、浴室壁面の壁開口に埋め込まれる埋め込みケースと、前記壁開口の長辺より短く、短辺より長い寸法を有し壁開口を通して壁面の裏側に配設される固定金具を、前記リモコン本体と共にネジで連結し、該ネジを室内側より締め付けて、前記壁面に前記埋め込みケースと固定金具を狭圧固定したことである。
また、第３の要旨は、前記埋め込みケースには、片端に真円のネジ通し基準孔が形成され、該基準孔と一直線状に、リモコン本体の位置調整用の長孔状のネジ通し調整孔が形成されていることである。
【０００４】
【実施例】
以下、本発明の実施例を図面に基づいて説明する。
図１は、２個のリモコン本体を化粧カバーで一体化させた状態の正面構成図であり、また図２は、浴室壁面に設置した状態の断面構成図である。また図３は、リモコンを設置するための構成部材の分解斜視図である。
【０００５】
図において、例えば、浴槽の気泡噴射装置を操作するためのジェット用リモコン本体１と、浴室の照明を操作するための照明用リモコン本体２を、化粧カバー３の開口３ａ，３ａにそれぞれ嵌め込んで、この化粧カバー３により２個のリモコン本体１，２を一体化させて、スッキリとした見栄え性を呈して壁面に設置することができるものである。
【０００６】
化粧カバー３は、図３の分解図で示すように、化粧処理された樹脂板で構成されて、所定間隔で開口３ａ，３ａが形成されており、リモコン本体１及び２のそれぞれの操作面１ａ，２ａのみが表面に露出するように、この化粧カバー３で２個のリモコン本体１，２を覆蓋できるものである。
なお、各リモコン本体１，２には、操作面１ａ，２ａの外周に段部１ｂ，２ｂが形成されており、この段部１ａ，２ｂをそれぞれ化粧カバー３の裏側に当接させて、良好に化粧カバー３の開口３ａ，３ａ内に操作面１ａ，２ａを嵌め込んで露出させることができるものである
また、各リモコン本体１，２の段部１ｂ，２ｂには、それぞれネジを通すことのできる通し孔１ｃ，１ｃ，２ｃ，２ｃが裏側へ貫通して形成されている。
【０００７】
この２個のリモコン本体１，２を収納できる深さ及び形状に形成された埋め込みケース４は、図４で示すように、背板部４ａと、背板部４ａの外周で前方側へ折れ曲がる側片部４ｂと、側片部４ｂの前端で水平状に外側へ折れ曲がるフランジ片４ｃを有し、各リモコン本体１，２の裏面に裏側へ突出形成された円筒部１ｃを通す遊挿孔５，５が、間隔をおいて背板部４ａに形成されており、前面側より２個のリモコン本体１，２を背板部４ａに当接させて収納できるように構成されている。
【０００８】
また、右側の遊挿孔５の右端側には、真円の基準孔６が貫通形成され、遊挿孔５，５間には、横方向に長孔状の調整孔７が形成されており、また、左側の遊挿孔５の左端側にも、長孔状の調整孔７が形成されている。
この調整孔７，７と基準孔６は一直線上に配置されたものとなっており、それぞれネジを通すことができるように構成されている。
なお、浴室の壁面１１には、埋め込みケース４の寸法形状に相当する壁開口１１ａを予め貫通形成しておき、この壁開口１１ａに対し、室内側より埋め込みケース４を埋め込むと、埋め込みケース４のフランジ片４ｃが壁開口１１ａの外周の室内側の壁面１１に当接するものである。
【０００９】
また、固定金具８は、背片８ａの上下端に、それぞれ前方側へ折り曲げて折り曲げ片８ｂ，８ｂが形成され、各折り曲げ片８ｂ，８ｂの前端で折れ曲がる挟圧片８ｃ，８ｃを上下に有しており、背片８ａには２個のネジ孔９，９が形成されて、各ネジ孔９，９の裏側にはナット１０が溶接固定されたものとなっている。
なお、固定金具８の挟圧片８ｃと挟圧片８ｃ間の寸法は、室内側から壁開口１１ａを通して壁面１１の裏側に配置させることができるように、壁開口１１ａの長辺よりも短く、壁開口１１ａの短辺よりも長い寸法に設定されたものとなっている。
【００１０】
なお、固定用ネジ１２，１３をリモコン本体１，２のそれぞれの通し孔１ｃ，２ｃに通し、かつ固定用ネジ１２，１３を埋め込みケース４の基準孔６，調整孔７，７へ通し、中央の調整孔７に通した固定用ネジ１３を固定金具８のネジ孔９，９に通して、溶接ナット１０に予め螺合させて、固定用ネジ１２，１３で各部材を連結した状態で、図５に示すように、壁開口１１ａに、室内側より固定金具８を通して、固定金具８を壁面１１の裏側に配置させ、この状態で９０度回転させて、図６に示すように、壁開口１１の裏側で固定金具８を立設状態にさせ、埋め込みケース４を壁開口１１ａに嵌め込むことができ、この状態で、室内側より固定用ネジ１３を締め付けることにより、固定金具８は室内側へ引き寄せられ、固定金具８の狭圧片８ｃが壁面１１の裏側に狭圧状態となり、壁面１１の表側には埋め込みケース４のフランジ片４ｃが当接されて、壁面１１の表裏から挟み付けた状態で強固に壁面１１に埋め込みケース４を固定させることができるものである。
【００１１】
埋め込みケース４を壁面１１に固定して、その前面に化粧カバー３を嵌め込んで、２個のリモコン本体１，２を覆蓋する時に、基準孔６に通された固定用ネジ１２を基準として、長孔状の調整孔７，７を介して、左側のリモコン本体２を横方向に位置調節して、リモコン本体１とリモコン本体２間の間隔を適宜調整することができ、良好に化粧カバー３の開口３ａ，３ａ内にリモコン本体１，２の操作面１ａ，２ａを嵌め込むことができるものとなり、化粧カバー３の嵌め込み作業が容易なものとなる。
【００１２】
本例では、２個のリモコン本体１，２を埋め込みケース４内に嵌め込んで、前面より化粧カバー３で覆蓋し、一体化させる構成を例示しているが、リモコン本体が２個以上の場合には、化粧カバー３は３個または４個の開口３ａ，３ａが形成されたものが用いられ、また、埋め込みケース４も３個分または４個分のリモコン本体を収納できる寸法形状に形成されたものが用いられる。
【００１３】
【発明の効果】
本発明の浴室リモコンの設置構造は、少なくとも浴槽の気泡噴射装置を操作するためのジェット用リモコン本体と、照明を操作するための照明用リモコン本体を横方向に並設するために、各リモコン本体の操作面のみを表面に露出させて嵌め込むための開口が所定間隔で横方向に並設されてなる化粧カバーで、複数のリモコン本体を覆蓋し、浴室壁面に埋め込み状に複数のリモコン本体を設置したことにより、複数のリモコン本体を１枚の化粧カバーで一体化させて、あたかも１個のリモコンのように構成することができ、浴室内の見栄え性が向上するものとなる。
【００１４】
また、複数のリモコン本体を収納でき、浴室壁面の壁開口に埋め込まれる埋め込みケースと、壁開口の長辺より短く、短辺より長い寸法を有し壁開口を通して壁面の裏側に配設される固定金具を、リモコン本体と共にネジで連結し、ネジを室内側より締め付けて、壁面に埋め込みケースと固定金具を狭圧固定したことにより、複数のリモコン本体を埋め込みケースに収納させて、埋め込みケースを壁面の壁開口に嵌め込み、ネジを室内側から締め付けて、壁面の裏側に固定金具を狭圧させて強固に固定することで、複数のリモコン本体の壁面への設置作業を室内側から容易に行うことができるものとなる。
【００１５】
また、埋め込みケースには、片端に真円のネジ通し基準孔が形成され、基準孔と一直線状に、リモコン本体の位置調整用の長孔状のネジ通し調整孔が形成されていることにより、複数のリモコン本体の間隔を、調整孔を介して調整することができ、前面側から良好に化粧カバーを嵌め込むことができて、組付作業が容易化する効果を有する。
【図面の簡単な説明】
【図１】化粧カバーで２個のリモコン本体を一体化させた状態の正面構成図である。
【図２】壁面に設置した状態の縦断面構成図である。
【図３】図２の構成部材の分解斜視図である。
【図４】図３における埋め込みケースの拡大斜視図である。
【図５】壁面の壁開口に室内側から固定金具を通す状態の斜視構成図である。
【図６】図５の状態から９０度回転させて固定金具を壁面の裏側に固定させた状態の斜視構成図である。
【符号の説明】
１，２  リモコン本体
１ａ，２ａ  操作面
１ｂ，２ｂ  段部
１ｃ，２ｃ  通し孔
３  化粧カバー
３ａ  開口
４  埋め込みケース
４ａ  背板部
４ｃ  フランジ片
５  遊挿孔
６  基準孔
７  調整孔
８  固定金具
８ａ  背片
８ｃ  狭圧片
９  ネジ孔
１０  ナット